(57)【要約】【課題】電子ペン用シートを再利用し、かつ筆跡情報を同一の電子ペン用シートへの筆跡情報に重ね合わせて記憶させる。【解決手段】登録方法決定部１０７は、電子ペン２００から筆跡情報を受信した時点の日時と、筆跡情報を１つの電子ペン用シート３００に対する筆跡情報として登録する期間の繰り返し回数を示すサイクルとに基づいて、入力された筆跡情報をデータベース１０２に新規登録するか追加登録するかを決定する。【選択図】図３
2010165318.tif 000002
【特許請求の範囲】
【請求項１】
電子ペン用シートへの書き込みを行う電子ペンと、前記電子ペンによる筆跡情報をデータベースに登録するサーバ装置とを備える筆跡情報管理システムであって、
前記サーバ装置は、
前記筆跡情報を１つの前記電子ペン用シートに対する筆跡情報として登録する期間を示す期間情報を記憶する期間情報記憶手段と、
前記電子ペンから前記筆跡情報を受信する筆跡情報受信手段と、
前記筆跡情報受信手段が前記筆跡情報を受信した時点の日時を取得する日時取得手段と、
前記日時取得手段が取得した日時が含まれる期間を示す前記期間情報を前記期間情報記憶手段から取得する期間情報取得手段と、
前記期間情報取得手段が取得した期間内に前記筆跡情報が前記データベースに登録されていない場合に、前記筆跡情報受信手段が受信した筆跡情報を前記データベースに新規登録する新規登録手段と、
前記期間情報取得手段が取得した期間内に既に前記筆跡情報が前記データベースに登録されている場合に、前記筆跡情報受信手段が受信した筆跡情報を、前記期間内にデータベース内に登録されている筆跡情報に追加登録する追加登録手段と、
を備えることを特徴とする筆跡情報管理システム。
【請求項２】
前記電子ペン用シートは、当該電子ペン用シートに固有の識別情報を示しかつ前記電子ペンにより認識可能な識別子が印刷されてあり、
前記サーバ装置は、
前記電子ペンから前記電子ペン用シートの識別情報を受信するシート識別情報受信手段をさらに備え、
前記サーバ装置の新規登録手段は、前記期間情報取得手段が取得した期間内に、前記シート識別情報受信手段が受信した識別情報が示す電子ペン用シートに対する筆跡情報が前記データベースに登録されていない場合に、前記筆跡情報受信手段が受信した筆跡情報を前記データベースに新規登録し、
前記サーバ装置の追加登録手段は、前記期間情報取得手段が取得した期間内に、前記シート識別情報受信手段が受信した識別情報が示す電子ペン用シートに対する筆跡情報が前記データベースに登録されている場合に、前記筆跡情報受信手段が受信した筆跡情報を、前記データベース内に既に登録されている前記シート識別情報取得手段が取得した識別情報が示す電子ペン用シートに対する筆跡情報に追加登録する、
ことを特徴とする請求項１に記載の筆跡情報管理システム。
【請求項３】
前記電子ペンは、当該電子ペンに固有の識別情報を有し、
前記サーバ装置は、前記電子ペンの識別情報を受信するペン識別情報受信手段をさらに備え、
前記サーバ装置の新規登録手段は、前記期間情報取得手段が取得した期間内に、前記ペン識別番号取得手段が取得した識別番号の電子ペンによって筆跡情報が前記データベースに登録されていない場合に、前記筆跡情報受信手段が受信した筆跡情報を前記データベースに新規登録し、
前記サーバ装置の追加登録手段は、前記期間情報取得手段が取得した期間内に、前記ペン識別番号取得手段が取得した識別番号の電子ペンによって筆跡情報が前記データベースに登録されている場合に、前記筆跡情報受信手段が受信した筆跡情報を、前記データベース内に既に登録されている前記ペン識別番号取得手段が取得した識別番号の電子ペンによる筆跡情報に追加登録する、
ことを特徴とする請求項１に記載の筆跡情報管理システム。
【請求項４】
前記サーバ装置は、
前記電子ペンの識別情報とユーザの識別情報とを関連付けて記憶するユーザ識別情報記憶手段と、
前記ペン識別情報受信手段が受信した識別情報に基づいて、前記ユーザ識別情報記憶手段から前記ユーザの識別情報を取得するユーザ識別情報取得手段と、
をさらに備え、
前記サーバ装置の新規登録手段は、前記期間情報取得手段が取得した期間内に、前記ユーザ識別番号取得手段が取得した識別番号のユーザによって筆跡情報が前記データベースに登録されている場合には、前記筆跡情報受信手段が受信した筆跡情報を前記データベースに新規登録せず、
前記サーバ装置の追加登録手段は、前記期間情報取得手段が取得した期間内に、前記ユーザ識別番号取得手段が取得した識別番号のユーザによって筆跡情報が前記データベースに登録されている場合に、前記筆跡情報受信手段が受信した筆跡情報を、前記データベース内に既に登録されている前記ユーザ識別番号取得手段が取得した識別番号のユーザによる筆跡情報に追加登録する、
ことを特徴とする請求項３に記載の筆跡情報管理システム。
【請求項５】
電子ペンによる筆跡情報をデータベースに登録するサーバ装置であって、
前記筆跡情報受信手段が受信した筆跡情報を１つのシートに対する筆跡情報として登録する期間を示す期間情報を記憶する期間情報記憶手段と、
前記電子ペンから前記筆跡情報を受信する筆跡情報受信手段と、
前記筆跡情報受信手段が前記筆跡情報を受信した時点の日時を取得する日時取得手段と、
前記日時取得手段が取得した日時が含まれる期間を示す前記期間情報を前記期間情報記憶手段から取得する期間情報取得手段と、
前記期間情報取得手段が取得した期間内に前記筆跡情報が前記データベースに登録されていない場合に、前記筆跡情報受信手段が受信した筆跡情報を前記データベースに新規登録する新規登録手段と、
前記期間情報取得手段が取得した期間内に既に前記筆跡情報が前記データベースに登録されている場合に、前記筆跡情報受信手段が受信した筆跡情報を、前記期間内にデータベース内に登録されている筆跡情報に追加登録する追加登録手段と、
を備えることを特徴とするサーバ装置。
【請求項６】
電子ペンによる筆跡情報をデータベースに登録し、前記筆跡情報を１つのシートに対する筆跡情報として登録する期間を示す期間情報を記憶する期間情報記憶手段を備えるサーバ装置を用いた筆跡情報管理方法であって、
筆跡情報受信手段は、前記電子ペンから前記筆跡情報を受信し、
日時取得手段は、前記筆跡情報受信手段が前記筆跡情報を受信した時点の日時を取得し、
期間情報取得手段は、前記日時取得手段が取得した日時が含まれる期間を示す前記期間情報を前記期間情報記憶手段から取得し、
新規登録手段は、前記期間情報取得手段が取得した期間内に前記筆跡情報が前記データベースに登録されていない場合に、前記筆跡情報受信手段が受信した筆跡情報を前記データベースに新規登録し、
追加登録手段は、前記期間情報取得手段が取得した期間内に既に前記筆跡情報が前記データベースに登録されている場合に、前記筆跡情報受信手段が受信した筆跡情報を、前記期間内にデータベース内に登録されている筆跡情報に追加登録する、
ことを特徴とする筆跡情報管理方法。
【請求項７】
電子ペンによる筆跡情報をデータベースに登録し、前記筆跡情報を１つのシートに対する筆跡情報として登録する期間を示す期間情報を記憶する期間情報記憶手段を備えるサーバ装置を、
前記電子ペンから前記筆跡情報を受信する筆跡情報受信手段、
前記筆跡情報受信手段が前記筆跡情報を受信した時点の日時を取得する日時取得手段、
前記日時取得手段が取得した日時が含まれる期間を示す前記期間情報を前記期間情報記憶手段から取得する期間情報取得手段、
前記期間情報取得手段が取得した期間内に前記筆跡情報が前記データベースに登録されていない場合に、前記筆跡情報受信手段が受信した筆跡情報を前記データベースに新規登録する新規登録手段、
前記期間情報取得手段が取得した期間内に既に前記筆跡情報が前記データベースに登録されている場合に、前記筆跡情報受信手段が受信した筆跡情報を、前記期間内にデータベース内に登録されている筆跡情報に追加登録する追加登録手段、
として動作させるためのプログラム。
【発明の詳細な説明】
【技術分野】
【０００１】
本発明は、電子ペンによる筆跡情報をデータベースに登録する筆跡情報管理システム、サーバ装置、筆跡情報管理方法及びプログラムに関する。
【背景技術】
【０００２】
近年、シートに記入した情報を電子情報として取り込むことができる電子ペンを用いた筆跡情報管理システムが開発されている（例えば、非特許文献１を参照）。
非特許文献１に記載の電子ペンは、シートの座標を示すドットパターンが印刷された電子ペン用シートに対して記入を行う。電子ペンは、電子ペン用シートに記入した位置のドットパターンから電子ペン用シートの座標を取得する。これにより、電子ペンは、記入による座標の遷移を蓄積することで、筆跡情報を電子情報として記憶することができる。
【０００３】
筆跡情報管理システムにおいて、電子ペン用シートには、ドットパターンが示す座標に基づいて電子ペン用シートを一意に識別するアドレスが割り振られる。電子ペン用シートに割り振られたアドレスによって、電子ペンは、どの電子ペン用シートに記入したかを判定することができる。これにより、電子ペンによる筆跡情報を管理するサーバ装置は、例えば、電子ペンが同一のアドレスを有する電子ペン用シートに対して記入を行った場合に、後に記入した筆跡情報を先に記入した筆跡情報に重ね合わせて記憶することができる。
【０００４】
また、筆跡情報管理システムでは、同じドットパターンを印刷した複数の電子ペン用シートを用いることもできる。
【先行技術文献】
【非特許文献】
【０００５】
【非特許文献１】岡鼻潤、デジタルペンの技術および携帯電話との連携ソリューション、「ユニシス技報」、日本ユニシス株式会社、２００８年２月、２７巻、４号、２５−３６頁
【発明の概要】
【発明が解決しようとする課題】
【０００６】
しかしながら、前記筆跡情報管理システムは、電子ペン用シートに印刷されたドットパターンによって電子ペン用シートに固有のアドレスを識別するため、全ての電子ペン用シートに対して異なるドットパターンを印刷する必要があり、一度使用したドットパターンを再利用できないという問題があった。また、電子ペン用シートに印刷するドットパターンは使用ライセンス料を支払って使用することが前提にある。そのため、全ての電子ペン用シートに対して異なるドットパターンを印刷すると、使用するドットパターンの数が増え、それによりドットパターン使用ライセンス料が増加するという問題があった。
【０００７】
また、同じドットパターンを印刷した電子ペン用シートを用いる筆跡情報管理システムも提案されているが、当該筆跡情報管理システムは、電子ペンによる筆跡情報を、登録毎に異なる電子ペン用シートへの筆跡情報として認識する仕組みだったために、ドットパターンの再利用ができないという問題は解消されるが、筆跡情報を登録した後に別の筆跡情報を重ね合わせて記憶させることができなくなってしまうという問題があった。
【０００８】
本発明は上記の点に鑑みてなされたものであり、その目的は、電子ペン用シートを再利用し、かつ筆跡情報を同一の電子ペン用シートへの筆跡情報に重ね合わせて記憶させることができる筆跡情報管理システム、サーバ装置、筆跡情報管理方法及びプログラムを提供することにある。
【課題を解決するための手段】
【０００９】
本発明は上記の課題を解決するためになされたものであり、電子ペン用シートへの書き込みを行う電子ペンと、前記電子ペンによる筆跡情報をデータベースに登録するサーバ装置とを備える筆跡情報管理システムであって、前記サーバ装置は、前記筆跡情報を１つの前記電子ペン用シートに対する筆跡情報として登録する期間を示す期間情報を記憶する期間情報記憶手段と、前記電子ペンから前記筆跡情報を受信する筆跡情報受信手段と、前記筆跡情報受信手段が前記筆跡情報を受信した時点の日時を取得する日時取得手段と、前記日時取得手段が取得した日時が含まれる期間を示す前記期間情報を前記期間情報記憶手段から取得する期間情報取得手段と、前記期間情報取得手段が取得した期間内に前記筆跡情報が前記データベースに登録されていない場合に、前記筆跡情報受信手段が受信した筆跡情報を前記データベースに新規登録する新規登録手段と、前記期間情報取得手段が取得した期間内に既に前記筆跡情報が前記データベースに登録されている場合に、前記筆跡情報受信手段が受信した筆跡情報を、前記期間内にデータベース内に登録されている筆跡情報に追加登録する追加登録手段と、を備えることを特徴とする。
【００１０】
また、本発明において前記電子ペン用シートは、当該電子ペン用シートに固有の識別情報を示しかつ前記電子ペンにより認識可能な識別子が印刷されてあり、前記サーバ装置は、前記電子ペンから前記電子ペン用シートの識別情報を受信するシート識別情報受信手段をさらに備え、前記サーバ装置の新規登録手段は、前記期間情報取得手段が取得した期間内に、前記シート識別情報受信手段が受信した識別情報が示す電子ペン用シートに対する筆跡情報が前記データベースに登録されていない場合に、前記筆跡情報受信手段が受信した筆跡情報を前記データベースに新規登録し、前記サーバ装置の追加登録手段は、前記期間情報取得手段が取得した期間内に、前記シート識別情報受信手段が受信した識別情報が示す電子ペン用シートに対する筆跡情報が前記データベースに登録されている場合に、前記筆跡情報受信手段が受信した筆跡情報を、前記データベース内に既に登録されている前記シート識別情報取得手段が取得した識別情報が示す電子ペン用シートに対する筆跡情報に追加登録する、ことを特徴とする。
【００１１】
また、本発明における前記電子ペンは、当該電子ペンに固有の識別情報を有し、前記サーバ装置は、前記電子ペンの識別情報を受信するペン識別情報受信手段をさらに備え、前記サーバ装置の新規登録手段は、前記期間情報取得手段が取得した期間内に、前記ペン識別番号取得手段が取得した識別番号の電子ペンによって筆跡情報が前記データベースに登録されていない場合に、前記筆跡情報受信手段が受信した筆跡情報を前記データベースに新規登録し、前記サーバ装置の追加登録手段は、前記期間情報取得手段が取得した期間内に、前記ペン識別番号取得手段が取得した識別番号の電子ペンによって筆跡情報が前記データベースに登録されている場合に、前記筆跡情報受信手段が受信した筆跡情報を、前記データベース内に既に登録されている前記ペン識別番号取得手段が取得した識別番号の電子ペンによる筆跡情報に追加登録する、ことを特徴とする。
【００１２】
また、本発明の前記サーバ装置は、前記電子ペンの識別情報とユーザの識別情報とを関連付けて記憶するユーザ識別情報記憶手段と、前記ペン識別情報受信手段が受信した識別情報に基づいて、前記ユーザ識別情報記憶手段から前記ユーザの識別情報を取得するユーザ識別情報取得手段と、をさらに備え、前記サーバ装置の新規登録手段は、前記期間情報取得手段が取得した期間内に、前記ユーザ識別番号取得手段が取得した識別番号のユーザによって筆跡情報が前記データベースに登録されている場合には、前記筆跡情報受信手段が受信した筆跡情報を前記データベースに新規登録せず、前記サーバ装置の追加登録手段は、前記期間情報取得手段が取得した期間内に、前記ユーザ識別番号取得手段が取得した識別番号のユーザによって筆跡情報が前記データベースに登録されている場合に、前記筆跡情報受信手段が受信した筆跡情報を、前記データベース内に既に登録されている前記ユーザ識別番号取得手段が取得した識別番号のユーザによる筆跡情報に追加登録する、ことを特徴とする。
【００１３】
また、本発明は、電子ペンによる筆跡情報をデータベースに登録するサーバ装置であって、前記筆跡情報受信手段が受信した筆跡情報を１つのシートに対する筆跡情報として登録する期間を示す期間情報を記憶する期間情報記憶手段と、前記電子ペンから前記筆跡情報を受信する筆跡情報受信手段と、前記筆跡情報受信手段が前記筆跡情報を受信した時点の日時を取得する日時取得手段と、前記日時取得手段が取得した日時が含まれる期間を示す前記期間情報を前記期間情報記憶手段から取得する期間情報取得手段と、前記期間情報取得手段が取得した期間内に前記筆跡情報が前記データベースに登録されていない場合に、前記筆跡情報受信手段が受信した筆跡情報を前記データベースに新規登録する新規登録手段と、前記期間情報取得手段が取得した期間内に既に前記筆跡情報が前記データベースに登録されている場合に、前記筆跡情報受信手段が受信した筆跡情報を、前記期間内にデータベース内に登録されている筆跡情報に追加登録する追加登録手段と、を備えることを特徴とする。
【００１４】
また、本発明は、電子ペンによる筆跡情報をデータベースに登録し、前記筆跡情報を１つのシートに対する筆跡情報として登録する期間を示す期間情報を記憶する期間情報記憶手段を備えるサーバ装置を用いた筆跡情報管理方法であって、筆跡情報受信手段は、前記電子ペンから前記筆跡情報を受信し、日時取得手段は、前記筆跡情報受信手段が前記筆跡情報を受信した時点の日時を取得し、期間情報取得手段は、前記日時取得手段が取得した日時が含まれる期間を示す前記期間情報を前記期間情報記憶手段から取得し、新規登録手段は、前記期間情報取得手段が取得した期間内に前記筆跡情報が前記データベースに登録されていない場合に、前記筆跡情報受信手段が受信した筆跡情報を前記データベースに新規登録し、追加登録手段は、前記期間情報取得手段が取得した期間内に既に前記筆跡情報が前記データベースに登録されている場合に、前記筆跡情報受信手段が受信した筆跡情報を、前記期間内にデータベース内に登録されている筆跡情報に追加登録する、ことを特徴とする。
【００１５】
また、本発明は、電子ペンによる筆跡情報をデータベースに登録し、前記筆跡情報を１つのシートに対する筆跡情報として登録する期間を示す期間情報を記憶する期間情報記憶手段を備えるサーバ装置を、前記電子ペンから前記筆跡情報を受信する筆跡情報受信手段、前記筆跡情報受信手段が前記筆跡情報を受信した時点の日時を取得する日時取得手段、前記日時取得手段が取得した日時が含まれる期間を示す前記期間情報を前記期間情報記憶手段から取得する期間情報取得手段、前記期間情報取得手段が取得した期間内に前記筆跡情報が前記データベースに登録されていない場合に、前記筆跡情報受信手段が受信した筆跡情報を前記データベースに新規登録する新規登録手段、前記期間情報取得手段が取得した期間内に既に前記筆跡情報が前記データベースに登録されている場合に、前記筆跡情報受信手段が受信した筆跡情報を、前記期間内にデータベース内に登録されている筆跡情報に追加登録する追加登録手段、として動作させるためのプログラムである。
【発明の効果】
【００１６】
本発明によれば、電子ペンから筆跡情報を受信した時点の日時と、筆跡情報を１つの電子ペン用シートに対する筆跡情報として登録する期間を示す期間情報とに基づいて、入力された筆跡情報をデータベースに新規登録するか追加登録するかを決定する。これにより、所定の期間内に登録された筆跡情報は１つの電子ペン用シートに対する筆跡情報として登録されるため、電子ペン用シートの識別ができる。また、これにより、同じドットパターンを印刷した電子ペン用シートを用いることができるため、電子ペン用シートの管理及び印刷に対するコストを低減することができる。
【図面の簡単な説明】
【００１７】
【図１】本発明の一実施形態による筆跡情報管理システムの構成図である。
【図２】電子ペン用シートの仕組みを示す図である。
【図３】筆跡情報管理システムの構成を示す概略ブロック図である。
【図４】データベースが記憶する事業所対応ペンテーブルを示している。
【図５】データベースが記憶する用紙割り当てテーブルを示している。
【図６】データベースが記憶するサイクル管理テーブルを示している。
【図７】データベースが記憶する筆跡情報テーブルを示している。
【図８】サーバ装置の動作を示すフローチャートである。
【発明を実施するための形態】
【００１８】
以下、図面を参照しながら本発明の実施形態について詳しく説明する。
図１は、本発明の一実施形態による筆跡情報管理システムの構成図である。
筆跡情報管理システムは、サーバ装置１００と、電子ペン２００とを備える。
電子ペン２００は、電子ペン用シート３００への軌跡の入力を行うものであり、電子ペン用シート３００上に入力した軌跡を示す筆跡情報を記憶する。
サーバ装置１００は、データベース１０２を備え、電子ペン２００から筆跡情報を取得し、取得した筆跡情報をデータベース１０２に登録する。
【００１９】
なお、電子ペン用シート３００は、当該電子ペン用シート３００における電子ペン２００の筆跡位置を識別するための座標情報を示すドットパターン（識別子）が印刷されており、電子ペン２００は、カメラ等によって当該ドットパターンを認識することで、電子ペン用シート３００上の座標情報を取得する。
電子ペン２００が電子ペン用シート３００上の座標情報を取得する方法について、図２を用いて具体的に説明する。
図２は、電子ペン用シートの仕組みを示す図である。
図２（Ａ）に示すように、電子ペン用シート３００には、例えば略０．３ｍｍ間隔で並んだ細かなドットパターンが印刷されている。また、図２（Ｂ）に示すように、ドットパターンの各ドットは直交する格子の交点から上下左右に微妙にずれて印刷されている。この上下左右のずれによって、１つのドットにつき２ビットの情報を有することができる。例えば、図２（Ｃ）に示すように、ドットが格子の交点の右方向にずれている場合は０、上方向にずれている場合は１、左方向にずれている場合は２、下方向にずれている場合は３とすることで、１つのドットは２ビットの情報を有する。
電子ペン２００は、例えば略２ｍｍ四方のドットパターンをまとめて読み取り、ドットの並びを座標情報に変換する。
【００２０】
図３は、筆跡情報管理システムの構成を示す概略ブロック図である。
筆跡情報管理システムのサーバ装置１００は、受信部１０１（筆跡情報受信手段、ペン識別情報受信手段）、データベース１０２（期間情報記憶手段、ユーザ識別情報記憶手段）、事業所特定部１０３（ユーザ識別情報取得手段）、サイクル特定部１０４（日時取得手段、期間情報取得手段）、アドレス特定部１０５（シート識別情報受信手段）、筆跡情報取得部１０６、登録方法決定部１０７、追加登録部１０８（追加登録手段）、新規登録部１０９（新規登録手段）を備える。
受信部１０１は、電子ペン２００から筆跡情報を受信する。
データベース１０２は、筆跡情報管理システムを使用する事業所（ユーザ）と電子ペン２００のシリアル番号（識別情報）とを関連付けて格納する事業所対応ペンテーブルと、電子ペン用シート３００のアドレス（識別情報）を格納する用紙割り当てテーブルと、筆跡情報を１つの電子ペン用シート３００に対する筆跡情報として登録する期間の繰り返し回数を示すサイクル（期間情報）を格納するサイクル管理テーブルと、筆跡情報を格納する筆跡情報テーブルとを記憶する。
事業所特定部１０３は、受信部１０１が受信した情報とデータベース１０２が記憶する事業所対応ペンテーブルとに基づいて電子ペン２００が使用された事業所を特定する。
サイクル特定部１０４は、受信部１０１が情報を受信した日時とデータベース１０２が記憶するサイクル管理テーブルとに基づいてサイクルを特定する。
アドレス特定部１０５は、受信部１０１が受信した筆跡情報に基づいて電子ペン用シート３００の用紙アドレスを特定する。
筆跡情報取得部１０６は、受信部１０１が受信した情報から筆跡情報を取得する。
登録方法決定部１０７は、筆跡情報をデータベース１０２が記憶する筆跡情報テーブルに新規登録するか追加登録するかを決定する。
追加登録部１０８は、筆跡情報をデータベース１０２が記憶する筆跡情報テーブルに追加登録する。
新規登録部１０９は、筆跡情報をデータベース１０２が記憶する筆跡情報テーブルに新規登録する。
ここで、新規登録とは、電子ペンから受信した筆跡情報を新たな電子ペン用シートへの筆跡情報として登録することを示す。
また、追加登録とは、電子ペンから受信した筆跡情報と、既に登録されている筆跡情報とを１つにまとめて登録することを示す。つまり、先に登録された筆跡と後に登録された筆跡とが同じ用紙に記入された場合の筆跡が情報として登録される。
【００２１】
電子ペン２００は、読み取り部２０１、記憶部２０２、送信部２０３を備える。
読み取り部２０１は、電子ペン用シート３００に印刷されているドットパターンを断続的に読み取って電子ペン用シート３００上の座標情報に変換し、読み取った順に並べた座標情報の集合を筆跡情報として記憶部２０２に登録する。
送信部２０３は、記憶部２０２が記憶する筆跡情報をサーバ装置１００に送信する。
【００２２】
図４は、データベース１０２が記憶する事業所対応ペンテーブルを示している。
図４に示されるように、事業所対応ペンテーブルには、事業所を特定する事業所コードと電子ペン２００を識別する電子ペンシリアル番号とが関連付けて登録される。事業所対応ペンテーブルは、筆跡情報を受信した電子ペン２００から当該電子ペン２００を使用した事業所を特定する際に用いられる。
【００２３】
図５は、データベース１０２が記憶する用紙割り当てテーブルを示している。
図５に示されるように、用紙割り当てテーブルには、事業所コードと、当該事業所コードで示される事業所で用いる電子ペン用シート３００のアドレスを示す割り当て用紙アドレスとが関連付けて登録される。用紙割り当てテーブルは、電子ペン２００が軌跡を入力した電子ペン用シート３００からの当該電子ペン用シート３００への記入を行った事業所の特定等に用いることができる。
【００２４】
図６は、データベース１０２が記憶するサイクル管理テーブルを示している。
図６に示されるように、サイクル管理テーブルには、事業所コードと、当該事業所コードで示される事業所が使用した電子ペン２００の筆跡情報を１つの電子ペン用シート３００に対する筆跡情報として登録する期間の繰り返し回数を示すサイクルと、当該サイクルの開始日時と、当該サイクルの終了日時とが関連付けて登録される。サイクル管理テーブルは、電子ペン２００から筆跡情報を受信した日付と事業所からサイクルを特定する際に用いられる。
【００２５】
図７は、データベース１０２が記憶する筆跡情報テーブルを示している。
図７に示されるように、筆跡情報テーブルには、事業所コードと、用紙アドレスと、サイクルと、筆跡情報とが関連付けて登録される。筆跡情報テーブルは、筆跡情報の蓄積に用いられる。
【００２６】
そして、筆跡情報管理システムにおいて、サーバ装置１００のデータベース１０２のサイクル管理テーブルは、受信部１０１が受信した筆跡情報を１つの電子ペン用シート３００に対する筆跡情報として登録する期間の繰り返し回数を示すサイクルを記憶し、受信部１０１は、電子ペン２００から筆跡情報を受信し、サイクル特定部１０４は、受信部１０１が筆跡情報を受信した時点の日時を取得し、取得した日時が含まれる期間の繰り返し回数を示すサイクルをサイクル管理テーブルから取得し、新規登録部１０９は、サイクル特定部１０４が取得したサイクルで筆跡情報がデータベース１０２の筆跡情報テーブルに登録されていない場合に、受信部１０１が受信した筆跡情報を筆跡情報テーブルに新規登録し、追加登録部１０８は、サイクル特定部１０４が取得したサイクルで既に筆跡情報が筆跡情報テーブルに登録されている場合に、受信部１０１が受信した筆跡情報を、当該サイクルで既に筆跡情報テーブルに登録されている筆跡情報に追加登録する。
これにより、筆跡情報管理システムは、電子ペン用シートを再利用し、かつ筆跡情報を同一の電子ペン用シートへの筆跡情報に重ね合わせて記憶させる。
【００２７】
次に、筆跡情報管理システムの動作を説明する。
まず、ユーザが電子ペン２００を用いて電子ペンシート３００に記入を行うと、電子ペン２００の読み取り部２０１は、電子ペン用シート３００上の記入を行った位置のドットパターンを読み取る。読み取り部２０１は、ドットパターンを読み取ると、読み取ったドットパターンから電子ペン用シート３００の座標を取得する。読み取り部２０１は、断続的に電子ペン用シート３００上の座標情報を取得し、読み取った順に並べた座標情報の集合を筆跡情報として記憶部２０２に登録する。
【００２８】
ユーザは、電子ペン２００による筆記を終了すると、電子ペン２００のデータ送信ボタン等を押下することで、サーバ装置１００にデータの送信を行う。データ送信ボタン等が押下されると、電子ペン２００の送信部２０３は、記憶部２０２が記憶する筆跡情報と電子ペン２００の電子ペンシリアル番号とをサーバ装置１００に送信する。このとき、送信部２０３は、赤外線通信やＢｌｕｅｔｏｏｔｈ通信等の無線通信によって情報を送信しても良いし、専用のケーブル等を用いた有線通信によって情報を送信しても良い。
【００２９】
図８は、サーバ装置の動作を示すフローチャートである。
電子ペン２００が筆跡情報と電子ペンシリアル番号とを送信すると、サーバ装置１００の受信部１０１は、電子ペン２００から筆跡情報と電子ペンシリアル番号とを受信する（ステップＳ１）。サーバ装置１００の受信部１０１が筆跡情報と電子ペンシリアル番号とを受信すると、事業所特定部１０３は、受信部１０１から電子ペン２００の電子ペンシリアル番号を取得する（ステップＳ２）。事業所特定部１０３は、電子ペンシリアル番号を取得すると、データベース１０２が記憶する事業所対応ペンテーブルから、取得した電子ペンシリアル番号に対応する事業所コードを取得する（ステップＳ３）。
【００３０】
事業所特定部１０３が事業所コードを取得すると、サイクル特定部１０４は、受信部１０１が情報を受信した日時をサーバ装置１００に内蔵されたタイマー（図示せず）等から取得する（ステップＳ４）。次に、サイクル特定部１０４は、データベース１０２が記憶するサイクル管理テーブルから、サイクル管理テーブルの事業所コードと事業所特定部１０３が取得した事業所コードとが一致し、かつ取得した受信日時が開始日時と終了日時の間となるサイクルを取得する（ステップＳ５）。なお、サイクル管理テーブルの事業所コードと事業所特定部１０３が取得した事業所コードとが一致しない場合は、筆跡情報を登録せずに処理を終了する。このとき、サーバ装置１００は、サーバ装置１００は、表示部（図示せず）等にサイクルが登録されていないという情報を表示すると良い。
【００３１】
サイクル特定部１０４がサイクルを取得すると、アドレス特定部１０５は、受信部１０１が受信した筆跡情報に基づいて、電子ペン２００が記入を行った電子ペン用シート３００の用紙アドレスを取得する（ステップＳ６）。用紙アドレスの取得は、例えば、以下のように行う。
アドレス特定部１０５は、予め内部メモリ等に電子ペン用シート３００上の座標から電子ペン用シートの用紙アドレスを導出する関数を記憶しておき、筆跡情報が示す座標を当該関数に代入することで、電子ペン用シート３００の用紙アドレスを取得することができる。また、アドレス特定部１０５は、予め内部メモリ等に電子ペン用シート３００上の座標と電子ペン用シートの用紙アドレスとを関連付けて記憶しておき、筆跡情報が示す座標に対応する用紙アドレスを取得することで、電子ペン用シート３００の用紙アドレスを取得しても良い。
【００３２】
アドレス特定部１０５が電子ペン用シート３００の用紙アドレスを取得すると、筆跡情報取得部１０６は、受信部１０１が受信した筆跡情報を取得する（ステップＳ７）。
筆跡情報取得部１０６が筆跡情報を取得すると、登録方法決定部１０７は、データベース１０２が記憶する筆跡情報テーブルから、筆跡情報テーブルの事業所コードと事業所特定部１０３が取得した事業所コードとが一致し、かつ筆跡情報テーブルのサイクルとサイクル特定部１０４が取得したサイクルとが一致し、かつ筆跡情報テーブルの用紙アドレスとアドレス特定部１０５が取得した用紙アドレスとが一致する筆記情報が存在するか否かを判定する（ステップＳ８）。
【００３３】
登録方法決定部１０７が、事業所コード、用紙アドレス及びサイクルが一致する筆記情報が存在しないと判定した場合（ステップＳ８：ＮＯ）、登録方法決定部１０７は新規登録部１０９に新規登録命令を発行し、新規登録部１０９は、筆跡情報取得部１０６が取得した筆跡情報をデータベース１０２の筆跡情報テーブルに新規登録する（ステップＳ９）。このとき、新規登録部１０９は、事業所コードを事業所特定部１０３が取得した事業所コード、サイクルをサイクル特定部１０４が取得したサイクル、用紙アドレスをアドレス特定部１０５が取得した用紙アドレスとして登録する。このとき、新規登録部１０９は、データベース１０２の筆跡情報テーブルに登録されている過去のサイクルの筆跡情報を削除して新たな筆跡情報を登録しても良いし、過去のサイクルの筆跡情報を残したまま新たに筆跡情報を登録しても良い。
【００３４】
登録方法決定部１０７が、事業所コード、用紙アドレス及びサイクルが一致する筆記情報が存在すると判定した場合（ステップＳ８：ＹＥＳ）、登録方法決定部１０７は追加登録部１０８に追加登録命令を発行し、追加登録部１０８は、筆跡情報テーブルに筆跡情報取得部１０６が取得した筆跡情報を追加登録する（ステップＳ１０）。追加登録とは、上述したように、電子ペンから受信した筆跡情報と、既に登録されている筆跡情報とを１つにまとめて登録することを示す。
【００３５】
このように、本実施形態によれば、登録方法決定部１０７は、電子ペン２００から筆跡情報を受信した時点の日時と、筆跡情報を１つの電子ペン用シート３００に対する筆跡情報として登録する期間の繰り返し回数を示すサイクルとに基づいて、入力された筆跡情報をデータベース１０２に新規登録するか追加登録するかを決定する。これにより、所定の期間内に登録された筆跡情報を同一の電子ペン用シート３００に対して既に登録された筆跡情報に重ね合わせて登録することができる。また、これにより、所定の期間を過ぎて登録された筆跡情報は、異なる電子ペン用シート３００への筆跡情報として新規登録されるため、電子ペン用シート３００を再利用することができる。
【００３６】
以上、図面を参照してこの発明の一実施形態について詳しく説明してきたが、具体的な構成は上述のものに限られることはなく、この発明の要旨を逸脱しない範囲内において様々な設計変更等をすることが可能である。
例えば、本実施形態では、データベース１０２が記憶するサイクル管理テーブルが開始日時と終了日時を指定することでサイクルを決定する場合を説明したが、これに限られず、例えば、最後に同一の用紙アドレスの電子ペン用シート３００に記入がなされた日時からの経過時間を指定することでサイクルを決定しても良い。
【００３７】
なお、本実施形態では、登録方法決定部１０７が、データベース１０２の筆記情報テーブルの中に事業所コード、用紙アドレス及びサイクルが一致する筆記情報が存在しないと判定する場合に新規登録する場合を説明したが、これに限られず、例えば、データベース１０２が記憶するサイクル管理テーブル及び筆跡情報テーブルの事業所コードを電子ペンシリアル番号に変え、登録方法決定部１０７が、データベース１０２の筆記情報テーブルの中に電子ペンシリアル番号、用紙アドレス及びサイクルが一致する筆記情報が存在しないと判定する場合に新規登録するようにしても良い。
【００３８】
また、本実施形態では、事業所特定部１０３がデータベース１０２の事業所対応ペンテーブルに基づいて事業所コードを取得する場合を説明したが、これに限られず、例えば、事業所毎に異なる用紙アドレスの電子ペン用シート３００を用いる場合、事業所特定部１０３は、データベース１０２の用紙割り当てテーブルに基づいて電子ペン用シート３００への記入を行った事業所の事業所コードを取得しても良い。
【００３９】
上述のサーバ装置は内部に、コンピュータシステムを有している。そして、上述した各処理部の動作は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００４０】
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【００４１】
１００…サーバ装置  １０１…受信部  １０２…データベース  １０３…事業所特定部  １０４…サイクル特定部  １０５…アドレス特定部  １０６…筆跡情報取得部  １０７…登録方法決定部  １０８…追加登録部  １０９…新規登録部  ２００…電子ペン  ２０１…読み取り部  ２０２…記憶部  ２０３…送信部  ３００…電子ペン用シート
【図１】
2010165318.tif 000003
【図２】
2010165318.tif 000004
【図３】
2010165318.tif 000005
【図４】
2010165318.tif 000006
【図５】
2010165318.tif 000007
【図６】
2010165318.tif 000008
【図７】
2010165318.tif 000009
【図８】
2010165318.tif 000010